【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
一対の可変焦点距離レンズと；
ユーザーの両眼の各画像を取得するように構成された画像取得システムと；
前記画像を解析して前記ユーザーの眼の両眼離反運動の程度を監視し、前記可変焦点距離レンズの焦点距離を、監視された前記両眼離反運動の程度の関数である値に調節するように構成されたコントローラとを備える； 
メガネ。
【請求項２】
前記コントローラは、一以上の二次的な要因に基づいて、前記可変焦点距離レンズの焦点距離に、さらなる調節を行うように構成された、
請求項１に記載のメガネ。
【請求項３】
前記一以上の二次的な要因は、周りの光レベルを含む、
請求項２に記載のメガネ。
【請求項４】
取得された前記画像は、前記ユーザーの両眼の各々の対応する部分を含み；
前記コントローラは前記画像を解析して、前記対応する部分の間の距離を監視することによって前記ユーザーの両眼の前記両眼離反運動の程度を監視するように構成された；
請求項１乃至請求項３のいずれか１項に記載のメガネ。
【請求項５】
前記画像取得システムは、ユーザーの瞳孔の両方の少なくとも一部を含む画像を取得するように構成され；
前記コントローラは、前記画像を解析して前記瞳孔間距離を監視するように構成された；
請求項４に記載のメガネ。
【請求項６】
前記画像取得システムは、前記ユーザーの両眼の各々の前記対応する部分を含む画像を取得するための１台以上のカメラを備える；
請求項４又は請求項５に記載のメガネ。
【請求項７】
前記画像取得システムは、前記ユーザーの両眼を照明するように配置された１つ以上の光源を備え、それによって、前記ユーザーの両眼の各々に１つ以上のプルキンエ像を形成し、前記ユーザーの両眼の各々における対応するプルキンエ像が、前記ユーザーの両眼の各々の前記対応する部分を画成するように構成された；
請求項４乃至請求項６の何れか１項に記載のメガネ。
【請求項８】
前記コントローラは、前記対応するプルキンエ像を検出し、前記対応するプルキンエ像のそれぞれの図心の位置を計算し、及び前記図心間の距離を計算することによって、前記画像を解析して前記ユーザーの両眼の各々の対応する部分の間の距離を監視するように構成された；
請求項７に記載のメガネ。
【請求項９】
前記コントローラは更に、焦点距離を両眼離反運動に関連付けるルックアップテーブルから作動制御信号レベルを取り出し、前記作動制御信号レベルを、それらの焦点距離を調節するために前記可変焦点距離レンズに結合される１つ以上のアクチュエータに印加することによって前記焦点距離を調節するように構成された；
請求項１乃至請求項８の何れか１項に記載のメガネ。
【請求項１０】
前記コントローラは、更に、前記可変焦点距離レンズの前記焦点距離に対する前記ユーザーの両眼の前記両眼離反運動の程度に関する数式から作動制御信号レベルを計算し、前記作動制御信号レベルを、それらの焦点距離を調節するために前記可変焦点距離レンズに結合される１つ以上のアクチュエータに印加することによって前記焦点距離を調節するように構成された；
請求項１乃至請求項８の何れか１項に記載のメガネ。
【請求項１１】
前記数式は、少なくとも２つの設定点に基づく一次方程式であり、前記２つの設定点の各々は、（ｉ）ユーザーが所定の物体に焦点が合っていると認識する焦点距離と、（ｉｉ）対応する、両眼離反運動の程度、を表す、
請求項１０に記載のメガネ。
【請求項１２】
前記設定点の一つは、無限焦点に関連付けられた設定点である、
請求項１１に記載のメガネ。
【請求項１３】
前記コントローラは、前記一対の可変焦点距離レンズを格納するフレームの上又はその内部に全部が配置される、
請求項１乃至請求項１２の何れか１項に記載のメガネ。
【請求項１４】
前記コントローラは、較正モードに切り換え可能であり、前記コントローラは更に、ユーザーの両眼の各画像を取得し、少なくとも２つの設定点の各々に対して、連続して、前記可変焦点距離レンズの前記焦点距離を調節し、ユーザーが所定の物体を見ていることをユーザーが示せるように前記設定点の各々におけるユーザー入力を受信し、前記ユーザー入力の受信に応じて前記ユーザーの両眼の前記両眼離反運動の程度を監視するために前記画像取得システムによって取得された前記画像を解析し、前記焦点距離と各設定点における前記監視された両眼離反運動の程度とから、前記可変焦点距離レンズの前記焦点距離に対する前記ユーザーの両眼の前記両眼離反運動の程度に関する数式を生成するように構成された；
請求項１乃至請求項１３の何れか１項に記載のメガネ。
【請求項１５】
前記コントローラは、ユーザー入力に応じて、前記可変焦点距離レンズの前記焦点距離を前記設定点の少なくとも１つに調節するように構成され、よって、各設定点は、ユーザーが前記所定の物体に焦点が合っていると認識する前記焦点距離を表す；
請求項１４に記載のメガネ。
【請求項１６】
前記コントローラは、前記可変焦点距離レンズの前記焦点距離を、無限焦点に関連付けられた設定点に自動的に調節するように構成された；
請求項１４又は請求項１５に記載のメガネ。
【請求項１７】
所定の物体を見ていることを前記ユーザーが示すことを許容する前記ユーザー入力は、更に、前記所定の物体の焦点が合っていることを前記ユーザーにより認識されたことを前記ユーザーが示すことを許容するように構成された；
請求項１４乃至請求項１６の何れか１項に記載のメガネ。
【請求項１８】
２つの設定点のみ存在する；
請求項１４乃至請求項１７の何れか１項に記載のメガネ。
【請求項１９】
前記数式が一次方程式である、
請求項１４乃至請求項１８の何れか１項に記載のメガネ。
【請求項２０】
前記コントローラは、更に、前記較正モード時に、前記数式を用いて、前記監視された両眼離反運動の程度又は前記ユーザーの両眼の距離を、１つ以上のアクチュエータが前記可変焦点距離レンズを調節するようにさせるために、作動制御信号レベルに関連付けるルックアップテーブルに前記数式を追加するように構成された；
請求項１４乃至請求項１９の何れか１項に記載のメガネ。
【請求項２１】
前記コントローラは、更に、前記数式を表す１つ以上のパラメータを格納するように構成された；
請求項１４乃至請求項２０の何れか１項に記載のメガネ。
【請求項２２】
メガネにおいて、一対の可変焦点距離レンズの焦点距離を制御する方法であって、
ユーザーの両眼の各画像を取得するステップと；
前記画像を解析して前記ユーザーの眼の両眼離反運動の程度を監視するステップと；
前記可変焦点距離レンズの焦点距離を、監視された前記両眼離反運動の程度の関数である値に調節するステップとを備える；
方法。
【請求項２３】
一以上の二次的な要因に基づいて、前記可変焦点距離レンズの焦点距離に、さらなる調節を行うステップを備える、
請求項２２に記載の方法。
【請求項２４】
前記一以上の二次的な要因は、周りの光レベルを含む、
請求項２３に記載の方法。
【請求項２５】
取得された前記画像はユーザーの両眼の各々の対応する部分を含み；
前記画像は、前記対応する部分の間の距離を監視することによって、前記ユーザーの両眼の前記両眼離反運動の程度を監視するために解析されるように構成された；
請求項２２に記載の方法。
【請求項２６】
ユーザーの瞳孔の両方の少なくとも一部を含む画像を取得するステップ及び
前記画像を解析して前記瞳孔間距離を監視するステップを備える；
請求項２５に記載の方法。
【請求項２７】
前記ユーザーの両眼を照明して前記ユーザーの眼の各々において１つ以上のプルキンエ像を形成するステップを更に備え；
前記ユーザーの両眼の各々における対応するプルキンエ像が、前記ユーザーの両眼の各々の対応する部分を画成するように構成された；
請求項２５又は請求項２６に記載の方法。
【請求項２８】
前記対応するプルキンエ像を検出し、前記対応するプルキンエ像のそれぞれの図心の位置を計算し、及び前記図心間の距離を計算することによって、前記画像を解析して前記ユーザーの両眼の各々の対応する部分の間の距離を監視するステップを更に備える；
請求項２７に記載の方法。
【請求項２９】
ルックアップテーブルから作動制御信号レベルを取り出し、前記作動制御信号レベルを、それらの焦点距離を調節するために前記可変焦点距離レンズに結合された１つ以上のアクチュエータに印加することによって前記焦点距離を調節するステップを更に備える；
請求項２２乃至請求項２８の何れか１項に記載の方法。
【請求項３０】
前記可変焦点距離レンズの前記焦点距離に対する前記ユーザーの両眼の前記両眼離反運動の程度に関する数式から作動制御信号レベルを計算し、前記作動制御信号レベルを、それらの焦点距離を調節するために前記可変焦点距離レンズに結合される１つ以上のアクチュエータに印加することによって前記焦点距離を調節するステップを更に備える；
請求項２２乃至請求項２８の何れか１項に記載の方法。
【請求項３１】
前記数式は、少なくとも２つの設定点に基づく一次方程式であり、前記２つの設定点の各々は、（ｉ）ユーザーが所定の物体に焦点が合っていると認識する焦点距離と、（ｉｉ）対応する、両眼離反運動の程度、を表す、
請求項３０に記載の方法。
【請求項３２】
前記設定点の一つは、無限焦点に関連付けられた設定点である、
請求項３１に記載の方法。
【請求項３３】
請求項１４乃至請求項２１の何れか１項に記載のメガネにおいて一対の可変焦点距離レンズを較正する方法であって；
較正モードに切り換えるステップと；
ユーザーの両眼の各々の画像を取得するステップと；
前記可変焦点距離レンズの前記焦点距離を、少なくとも２つの設定点の各々に連続して調節するステップと；
所定の物体を見ていることを前記ユーザーが示すことを許容する、前記設定点の各々でのユーザー入力を受信するステップと；
前記ユーザー入力の受信に応じて、前記画像を解析して前記ユーザーの両眼の前記両眼離反運動の程度を監視するステップと；
前記焦点距離と、各設定点における前記監視した両眼離反運動の程度とから、前記可変焦点距離レンズの前記焦点距離に対する前記ユーザーの眼の前記両眼離反運動の程度に関する数式を生成するステップとを備える；
方法。
【請求項３４】
前記可変焦点距離レンズの前記焦点距離は、ユーザー入力に応じて前記設定点の少なくとも１つに調節されるように構成され、よって、各設定点は、前記所定の物体に焦点が合っているとユーザーが認識する前記焦点距離を表す；
請求項３３に記載の方法。
【請求項３５】
前記可変焦点距離レンズの前記焦点距離は、無限焦点に関連する設定点へ自動的に調節されるように構成された；
請求項３３又は請求項３４に記載の方法。
【請求項３６】
所定の物体を見ていることを前記ユーザーが示すことを許容する前記ユーザー入力は、更に、前記所定の物体の焦点が合っていることを前記ユーザーにより認識されたことを前記ユーザーが示すことを許容する；
請求項３３乃至請求項３５の何れか１項に記載の方法。
【請求項３７】
２つの設定点のみ存在する；
請求項３３乃至請求項３６の何れか１項に記載の方法。
【請求項３８】
前記数式が一次方程式である、
請求項３３乃至請求項３７の何れか１項に記載の方法。
【請求項３９】
前記数式を用いて、前記監視された両眼離反運動の程度又は前記ユーザーの両眼の距離を、１つ以上のアクチュエータが前記可変焦点距離レンズを調節するようにさせるために、作動制御信号レベルに関連付けるルックアップテーブルに前記数式を使用するステップを更に備える；
請求項３３乃至請求項３８の何れか１項に記載の方法。
【請求項４０】
前記数式を表す１つ以上のパラメータを格納するステップを更に備える；
請求項３３乃至請求項３８の何れか１項に記載の方法。